【手続補正書】
【提出日】平成18年11月14日(2006.11.14)
【手続補正１】
【補正対象書類名】明細書
【補正対象項目名】特許請求の範囲
【補正方法】変更
【補正の内容】
【特許請求の範囲】
【請求項１】  複数の記憶媒体を有し、各記憶媒体に記憶された制御コードに従って画像を形成する画像形成装置において、
前記画像形成装置を制御する制御コードを記憶する複数の記憶媒体と、
各記憶媒体に記憶された制御コードの書き換えを制御する制御手段と、
前記制御コードの書き換えを実行する実行コードを受信するための受信制御コードを記憶手段に転送する転送手段とを有し、
前記制御手段は、前記記憶手段に転送された受信制御コードに従って前記実行コードを受信して前記制御コードの書き換えを行なうことを特徴とする画像形成装置。
【請求項２】  前記記憶手段は、不揮発性の記憶媒体であることを特徴とする請求項１記載の画像形成装置。
【請求項３】  前記記憶手段は、揮発性の記憶媒体であることを特徴とする請求項１記載の画像形成装置。
【請求項４】  複数の記憶媒体を有し、各記憶媒体に記憶された制御コードに従って画像を形成する画像形成装置において、
前記画像形成装置を制御する制御コードを記憶する複数の記憶媒体と、
各記憶媒体に記憶された制御コードの書き換えを制御する制御手段とを有し、
前記制御手段は、記憶手段に記憶された、前記制御コードの書き換えを実行する実行コードを受信するための受信制御コードに従って前記実行コードを受信して前記制御コードの書き換えを行なうことを特徴とする画像形成装置。
【請求項５】  複数の記憶媒体を有し、各記憶媒体に記憶された制御コードに従って画像を形成する画像形成装置の制御方法において、
前記画像形成装置を制御する制御コードを複数の記憶媒体に記憶する記憶工程と、
各記憶媒体に記憶された制御コードの書き換えを制御する制御工程と、
前記制御コードの書き換えを実行する実行コードを受信するための受信制御コードを記憶手段に転送する転送工程とを有し、
前記制御工程は、前記記憶手段に転送された受信制御コードに従って前記実行コードを受信して前記制御コードの書き換えを行なうことを特徴とする画像形成装置の制御方法。
【請求項６】  複数の記憶媒体を有し、各記憶媒体に記憶された制御コードに従って画像を形成する画像形成装置の制御方法において、
前記画像形成装置を制御する制御コードを複数の記憶媒体に記憶する記憶工程と、
各記憶媒体に記憶された制御コードの書き換えを制御する制御工程とを有し、
前記制御工程は、記憶手段に記憶された、前記制御コードの書き換えを実行する実行コードを受信するための受信制御コードに従って前記実行コードを受信して前記制御コードの書き換えを行なうことを特徴とする画像形成装置の制御方法。
【請求項７】  制御コードに従って画像を形成する画像形成装置であって、
制御コードを記憶する制御コード記憶手段と、
前記制御コード記憶手段に記憶された制御コードに従って前記画像形成装置を制御する制御手段とを有し、
前記制御手段は、制御コードの書き換えを制御するための書き換え制御コードの転送を制御するための転送制御コードに従って、書き換え制御コードが外部装置から転送されるのを制御し、外部装置から転送された書き換え制御コードに従って、前記制御コード記憶手段に記憶された制御コードが外部装置からの制御コードで書き換えられるのを制御することを特徴とする画像形成装置。
【請求項８】  前記画像形成装置はコピー機またはプリンタであることを特徴とする請求項７に記載の画像形成装置。
【請求項９】  制御コードに従って画像を形成する画像形成装置であって、
制御コードを記憶する制御コード記憶手段と、
前記制御コード記憶手段に記憶されている制御コードに従って前記画像形成装置を制御する制御手段と、
電源投入後、制御コードの書き換えが中断或いは失敗したかを判断する判断手段とを有し、
前記制御コードの書き換えが中断或いは失敗したと判断された場合、前記制御手段は、制御コードの書き換えを制御するための書き換え制御コードの転送を制御するための転送制御コードに従って、書き換え制御コードが外部装置から転送されるのを制御し、外部装置から転送された書き換え制御コードに従って、前記制御コード記憶手段に記憶された制御コードが外部装置からの制御コードで書き換えられるのを制御することを特徴とする画像形成装置。
【請求項１０】  制御コードに従って画像を形成する画像形成装置の制御方法であって、
制御コード記憶手段に記憶されている制御コードに従って前記画像形成装置を制御する制御工程と、
電源投入後、制御コードの書き換えが中断或いは失敗したかを判断する判断工程と、
前記制御コードの書き換えが中断或いは失敗したと判断された場合、制御コードの書き換えを制御するための書き換え制御コードの転送を制御するための転送制御コードに従って、書き換え制御コードが外部装置から転送されるのを制御する書き換え制御コード転送工程と、
外部装置から転送された書き換え制御コードに従って、前記制御コード記憶手段に記憶された制御コードが外部装置からの制御コードで書き換えられるのを制御する書き換え制御工程とを有することを特徴とする画像形成装置の制御方法。
【手続補正２】
【補正対象書類名】明細書
【補正対象項目名】０００８
【補正方法】変更
【補正の内容】
【０００８】
【課題を解決するための手段】
上記目的を達成するために、本発明は、複数の記憶媒体を有し、各記憶媒体に記憶された制御コードに従って画像を形成する画像形成装置において、前記画像形成装置を制御する制御コードを記憶する複数の記憶媒体と、各記憶媒体に記憶された制御コードの書き換えを制御する制御手段と、前記制御コードの書き換えを実行する実行コードを受信するための受信制御コードを記憶手段に転送する転送手段とを有し、前記制御手段は、前記記憶手段に転送された受信制御コードに従って前記実行コードを受信して前記制御コードの書き換えを行なうことを特徴とする。
【手続補正３】
【補正対象書類名】明細書
【補正対象項目名】０００９
【補正方法】変更
【補正の内容】
【０００９】
また、上記目的を達成するために、本発明は、複数の記憶媒体を有し、各記憶媒体に記憶された制御コードに従って画像を形成する画像形成装置において、前記画像形成装置を制御する制御コードを記憶する複数の記憶媒体と、各記憶媒体に記憶された制御コードの書き換えを制御する制御手段とを有し、前記制御手段は、記憶手段に記憶された、前記制御コードの書き換えを実行する実行コードを受信するための受信制御コードに従って前記実行コードを受信して前記制御コードの書き換えを行なうことを特徴とする。
【手続補正４】
【補正対象書類名】明細書
【補正対象項目名】００１０
【補正方法】変更
【補正の内容】
【００１０】
更に、上記目的を達成するために、本発明は、複数の記憶媒体を有し、各記憶媒体に記憶された制御コードに従って画像を形成する画像形成装置の制御方法において、前記画像形成装置を制御する制御コードを複数の記憶媒体に記憶する記憶工程と、各記憶媒体に記憶された制御コードの書き換えを制御する制御工程と、前記制御コードの書き換えを実行する実行コードを受信するための受信制御コードを記憶手段に転送する転送工程とを有し、前記制御工程は、前記記憶手段に転送された受信制御コードに従って前記実行コードを受信して前記制御コードの書き換えを行なうことを特徴とする。
【手続補正５】
【補正対象書類名】明細書
【補正対象項目名】００１１
【補正方法】変更
【補正の内容】
【００１１】
また、上記目的を達成するために、本発明は、複数の記憶媒体を有し、各記憶媒体に記憶された制御コードに従って画像を形成する画像形成装置の制御方法において、前記画像形成装置を制御する制御コードを複数の記憶媒体に記憶する記憶工程と、各記憶媒体に記憶された制御コードの書き換えを制御する制御工程とを有し、前記制御工程は、記憶手段に記憶された、前記制御コードの書き換えを実行する実行コードを受信するための受信制御コードに従って前記実行コードを受信して前記制御コードの書き換えを行なうことを特徴とする。
【手続補正６】
【補正対象書類名】明細書
【補正対象項目名】００１２
【補正方法】削除
【補正の内容】